(57)【要約】    【課題】  発光ダイオードを衝撃などから保護することが出来ながら、しかも保護手段を有効に利用して、発光ダイオード特有の鋭い光を緩和して、目に優しい照明とすることが出来る電飾用照明器具を提供することにある。    【解決手段】  配設コード中に発光ダイオードを接続してなる電飾用照明器具において、前記発光ダイオードの収容室を備えてなる透光性を有する保護カバーが備えられ、前記発光ダイオードは、前記保護カバーの収容室内に光拡散剤を混入した透光性の充填剤で封止されており、また保護カバー及び充填剤が弾性を有している。  【選択図】  図３
2007004996.tif 000002
【特許請求の範囲】
【請求項１】
配設コード中に発光ダイオードを接続してなる電飾用照明器具において、前記発光ダイオードの収容室を備えてなる透光性を有する保護カバーが備えられ、前記発光ダイオードは、前記保護カバーの収容室内に光拡散剤を混入した透光性の充填剤で封止されていることを特徴とする電飾用照明器具。
【請求項２】
発光ダイオードを封止している充填剤が弾性を有していることを特徴とする請求項１に記載の電飾用照明器具。
【請求項３】
保護カバーが弾性を有していることを特徴とする請求項１または２に記載の電飾用照明器具。
【発明の詳細な説明】
【技術分野】
【０００１】
本発明は、例えばクリスマスなどのイルミネーションに用いられる発光ダイオードを用いた電飾用照明具に関する。
【背景技術】
【０００２】
一般にこの種の電飾用照明器具は、配設コードと、この配設コードの途中に接続される多数のベース部材と、このベース部材に組み付けられるソケット部材と、このソケット部材に装填される発光ダイオードとが備えられ、ベース部材内に発光ダイオードを組み込んだソケット部材が組み付けられると共に、ベース部材内にソケット部材と電気的に接触する接触プレートが設けられ、その接触プレートには、ベース部材の底部から外部へ延出する電気コードが接続されている。(特許文献１参照)
しかしながら以上の照明器具では、発光ダイオードのレンズ部分などの大部分が外部に剥き出しとなっているため、例えば使用時などに発光ダイオードが木やコンクリートの壁面などに衝突した場合、発光ダイオードが不用意に破損する不具合がある。
【０００３】
また発光ダイオードは、既知の通り、通常の電球とは異なり、所定角度の範囲で発光するものであって、光の指向性が強く、例えばクリスマスツリー等の木に取り付けて用いる場合などにおいて、取り付けたクリスマスツリー等の見る場所によっては、照明器具の点灯がわかり難いという問題が生じる。
【特許文献１】実用新案登録第３０８１４２３号
【発明の開示】
【発明が解決しようとする課題】
【０００４】
本発明は以上の実情に鑑みて開発したものであって、目的とするところは、発光ダイオードを衝撃などから保護することが出来ながら、しかも保護手段を有効に利用して、発光ダイオード特有の鋭い光を緩和して、目に優しい照明とすることが出来る電飾用照明器具を提供することにある。
【課題を解決するための手段】
【０００５】
前記した目的を達成するために、請求項１に記載の発明は、配設コード中に発光ダイオードを接続してなる電飾用照明器具において、前記発光ダイオードの収容室を備えてなる透光性を有する保護カバーが備えられ、前記発光ダイオードは、前記保護カバーの収容室内に光拡散剤を混入した透光性の充填剤で封止されていることを特徴とするものである。
【０００６】
また請求項２に記載の発明は、発光ダイオードを封止している充填剤が弾性（柔軟性）を有していることを特徴とするものである。
【０００７】
また請求項３に記載の発明は、請求項１または２に記載の保護カバーが弾性（柔軟性）を有していることを特徴とするものである。
【発明の効果】
【０００８】
請求項１に記載の発明によれば、発光ダイオードが保護カバーの収容室内に光拡散剤を混入した透光性の充填剤で封止されていることから、発光ダイオードは保護カバー及び充填剤により保護され、例えば使用時などに発光ダイオードが木やコンクリートの壁面などに衝突した場合でも、発光ダイオードの破損が抑制される。
【０００９】
しかも点灯時には、充填剤に混入された光拡散剤の作用により、指向性の強い発光ダイオードの光が周囲に拡散されて、柔らかい照明光となり、発光ダイオードの周りのいずれからも光を確認出来る。
【００１０】
請求項２に記載の発明によれば、請求項１に記載の発明の効果に加え、例えば木やコンクリートの壁面などへの衝突時、その衝撃が充填剤の弾性変形により吸収されて、発光ダイオードの破損をより一層防ぐことが出来る。
【００１１】
請求項３に記載の発明によれば、請求項１または２に記載の発明の効果に加え、例えば木やコンクリートの壁面などへの衝突時、その衝撃が保護カバーの弾性変形により吸収されて、発光ダイオードの破損をより一層防ぐことが出来る。
【発明を実施するための最良の形態】
【００１２】
以下、本発明の実施形態について図面を参照しながら説明する。
【００１３】
図１は電飾用照明器具の要部の斜視図、図２は電飾用照明器具の要部を分解して示す拡大正面図、図３は、電飾用照明器具の要部の拡大断面図である。
【００１４】
図１において符号１で示す電飾用照明器具１は、基本的には、配線コード２と、この配線コード２に並列に接続される多数の発光ダイオード(Light Emitting Diode)３とが備えられている。
【００１５】
発光ダイオード３は、既知の通り、ＬＥＤチップ（図示せず）を内装する樹脂製のベース部３１と、このベース部３１の先端に一体形成されている半球状のレンズ部３２と、一端がＬＥＤチップに接続され、他端がベース部３１の基部から突出する２本のリード線３３ａ・３３ｂとから構成されている。
【００１６】
以上の発光ダイオード３は、図２にも示すように、２本のリード線３３ａ・３３ｂ中の一本３３ａが配線コード２に直接接続され、もう一本のリード線３３ｂは、電流制限用の抵抗体４を介して配線コード２に接続されている。
【００１７】
以上の構成からなる電飾用照明器具において、本発明は、発光ダイオード３の収容室５０備えてなる透光性を有する保護カバー５を別途用意し、発光ダイオード３を保護カバー５の収容室５０内に光拡散剤を混入した透光性の充填剤６で封止したのである。
【００１８】
図に示す保護カバー５は、透明で且つ軟質の合成樹脂材料、具体的にはポリプロピレンから有底円筒状に形成されたものであり、弾性変形可能なように柔軟性を有している。
【００１９】
また内部の収容室５０は、発光ダイオード３を抵抗体４と共に収容しても、発光ダイオード３及び抵抗体４の周りに十分な隙間が空く程度の比較的大きな空間に形成されている。
【００２０】
尚、この保護カバー５を形成する合成樹脂材料としては、前記したポリプロピレンの外に例えばポリエチレン、ＰＶＣ、ポリオレフィンでも良い。
【００２１】
一方、充填剤６は、透光性を備えた軟質の硬化性シリコン樹脂から成り、この充填剤６には、石英の粉末からなる光拡散剤が混入されている。
【００２２】
光拡散剤としては、前述の石英の粉末の外に、例えば光拡散用微粒子ポリマを用いてもよい。
【００２３】
尚、図１において符号７で示されている部材は、保護カバー５で保護された発光ダイオード３を配線コード２に結束している結束バンドである。
【００２４】
以上の構造から成る電飾用照明器具１では、保護カバー５の収容室５０に、光拡散剤を混入した充填剤６を所定量流し込んで、発光ダイオード３をレンズ部３２側から収容室５０内に収容した後、充填剤６を硬化させることで、発光ダイオード３を保護カバー５の収容室５０内に光拡散剤を混入した透光性の充填剤６で封止している。
【００２５】
斯くして以上の電飾用照明器具では、発光ダイオード３が、弾性を有する充填剤６と、同じく弾性を有する保護カバー５とで覆われているので、例えば強風で発光ダイオード３がコンクリート壁面などに衝突しても、弾性を有する保護カバー５と充填剤６とにより衝撃荷重が効率よく吸収され、発光ダイオード３が不用意に破損するのが抑制されるのである。
【００２６】
一方、発光ダイオード３の点灯時にあっては、充填剤６に混入した光拡散剤の作用により、指向性の強い発光ダイオード３の光が周囲に拡散されて、柔らかい光が保護カバー５を通って周囲に照射されるのである。
【００２７】
従って、発光ダイオード３の周囲のいずれからも光を確認することが出来、従来のように、照明器具の点灯がわかり難いという不具合はない。
【００２８】
尚、以上の電飾用照明器具１では、充填剤6に混入する光拡散剤の量を任意調整することで、発光ダイオード３の光の拡散度合いを適宜調整することが出来る。
【００２９】
以上の実施形態では、実施形態では、充填剤６に光拡散剤を混入したが、これ以外に例えば、保護カバー５にあっても、光拡散剤を混入した樹脂材料から形成してもよい。
【図面の簡単な説明】
【００３０】
【図１】本発明にかかる電飾用照明器具の要部の斜視図。
【図２】図１に示す電飾用照明器具の要部を分解して示す拡大正面図。
【図３】電飾用照明器具の要部の拡大断面図である。
【符号の説明】
【００３１】
１      電飾用照明器具
２      配線コード
３      発光ダイオード
３１    レンズ部
３３ａ・３３ｂ  リード線
４      抵抗体
5       保護カバー
５０    収容室
６      充填剤
【図１】
2007004996.tif 000003
【図２】
2007004996.tif 000004
【図３】
2007004996.tif 000005